(57)【特許請求の範囲】
【請求項１】
始動口への入賞に応じて図柄変動を実行し、当該図柄変動実行中に始動口へと入賞した場合には予め設定される保留上限値を上限として図柄変動を保留し、図柄変動の結果に応じて通常の遊技状態よりも遊技者にとって有利な遊技状態である特別状態へと移行する遊技機側から出力される遊技信号であって、前記特別状態である期間を特定可能な特別状態信号、前記図柄変動が行われたことを特定可能なスタート信号、及び遊技機にて使用された遊技媒体数である使用媒体数と遊技に応じて遊技機から払出された遊技媒体数である払出媒体数との差である差媒体数を特定可能な差数信号を受信する受信手段と、
単位期間に対応する差媒体数の設定値である差媒体設定値を設定する設定手段と、
前記差数信号により特定される差媒体数と前記差媒体設定値とを比較することで前記単位期間が経過したことを特定する期間特定手段と、
前記スタート信号により特定される図柄変動数であるスタートを単位Ｓとして計数し、
前記期間特定手段により前記単位期間が経過したことが特定された場合に前記単位Ｓを初期化するスタート計数手段と、
前記スタート計数手段により計数される単位Ｓを遊技者向けに表示する表示手段と、
前記特別状態信号に基づき特別状態の終了を特定した場合に、除外期間を設定し、当該除外期間における前記スタートを前記単位Ｓの計数対象から除外する除外手段と、を備え、
前記設定手段は、前記除外期間に対応する前記スタートの設定値である除外設定値、及び遊技媒体を遊技者に対して貸出媒体として貸出す際の貸出レートを所定の基準レートとし、所定の基準額を対価とした場合における貸出媒体数を表す第１差媒体設定値と、遊技場における実際の貸出レートにより貸出媒体を貸出す場合における前記基準額に対応する貸出媒体数を表す第２差媒体設定値とを前記差媒体設定値として設定可能であり、
前記除外手段は、前記特別状態終了後の前記スタートを計数し、当該計数したスタートと前記除外設定値とを比較することで前記除外期間を特定し、
前記期間特定手段は、差媒体数と前記第１差媒体設定値とを比較することで第１単位期間が経過したことを特定する一方、差媒体数と前記第２差媒体設定値とを比較することで第２単位期間が経過したことを特定し、
前記スタート計数手段は、第１単位Ｓと第２単位Ｓとを前記単位Ｓとして計数し、前記第１単位期間が経過したことが特定された場合には前記第１単位Ｓを初期化する一方、前記第２単位期間が経過したことが特定された場合には前記第２単位Ｓを初期化し、
前記表示手段は、前記第１単位Ｓと前記第２単位Ｓとを比較可能に表示することを特徴とする遊技情報表示装置。
【請求項２】
前記表示手段は、前記第２単位期間における前記差媒体数を前記第１単位Ｓ、及び前記第２単位Ｓと比較可能にレベル表示し、当該レベル表示において前記第１差媒体設定値に対応する箇所を識別可能に表示することを特徴とする請求項１記載の遊技情報表示装置。
【請求項３】
始動口への入賞に応じて図柄変動を実行し、当該図柄変動実行中に始動口へと入賞した場合には予め設定される保留上限値を上限として図柄変動を保留し、図柄変動の結果に応じて通常の遊技状態よりも遊技者にとって有利な遊技状態である特別状態へと移行する遊技機側から出力される遊技信号であって、前記特別状態である期間を特定可能な特別状態信号、前記図柄変動が行われたことを特定可能なスタート信号、及び遊技機にて使用された遊技媒体数である使用媒体数と遊技に応じて遊技機から払出された遊技媒体数である払出媒体数との差である差媒体数を特定可能な差数信号を受信する受信手段と、
単位期間に対応する差媒体数の設定値である差媒体設定値を設定する設定手段と、
前記差数信号により特定される差媒体数と前記差媒体設定値とを比較することで前記単位期間が経過したことを特定する期間特定手段と、
前記スタート信号により特定される図柄変動数であるスタートを単位Ｓとして計数し、前記期間特定手段により前記単位期間が経過したことが特定された場合に前記単位Ｓを初期化するスタート計数手段と、
前記スタート計数手段により計数される単位Ｓを遊技者向けに表示する表示手段と、
前記特別状態信号に基づき特別状態の終了を特定した場合に、除外期間を設定し、当該除外期間における前記スタートを前記単位Ｓの計数対象から除外する除外手段と、を備え、
前記設定手段は、前記単位除外期間に対応する前記スタートの設定値である除外設定値、及び前記単位Ｓに対する設定値であるＳ設定値を設定し、
前記除外手段は、前記特別状態終了後の前記スタートを計数し、当該計数したスタートと前記除外設定値とを比較することで前記除外期間を特定し、
前記スタート計数手段は、前記特別状態の発生に起因して前記単位Ｓと前記Ｓ設定値とを比較し、前記単位Ｓの方が小さければ前記単位Ｓを初期化する一方、前記Ｓ設定値の方が小さければ前記単位Ｓを初期化せずに前記特別状態の発生前から計数した単位Ｓを特別状態終了後も継続して計数することを特徴とする遊技情報表示装置。
【請求項４】
始動口への入賞に応じて図柄変動を実行し、当該図柄変動実行中に始動口へと入賞した場合には予め設定される保留上限値を上限として図柄変動を保留し、図柄変動の結果に応じて通常の遊技状態よりも遊技者にとって有利な遊技状態である特別状態へと移行する遊技機側から出力される遊技信号であって、前記特別状態である期間を特定可能な特別状態信号、前記図柄変動が行われたことを特定可能なスタート信号、及び遊技機にて使用された遊技媒体数である使用媒体数と遊技に応じて遊技機から払出された遊技媒体数である払出媒体数との差である差媒体数を特定可能な差数信号を受信する受信手段と、
有価価値を受付可能であり、その有価価値を対価として遊技者へと遊技媒体を貸出す貸出手段と、
前記貸出手段により貸出された遊技媒体数である貸出媒体数、或いは、その対価となった有価価値である貸出対価額を表す貸出情報を特定する貸出情報特定手段と、
単位期間に対応する差媒体数の設定値である差媒体設定値を設定する設定手段と、
前記差数信号により特定される差媒体数と前記差媒体設定値とを比較することで前記単位期間が経過したことを特定する一方、前記貸出情報が前記差媒体設定値に対応する値となった場合に前記単位期間が経過したことを特定する期間特定手段と、
前記スタート信号により特定される図柄変動数であるスタートを単位Ｓとして計数し、前記期間特定手段により前記単位期間が経過したことが特定された場合に前記単位Ｓを初期化するスタート計数手段と、
前記スタート計数手段により計数される単位Ｓを遊技者向けに表示する表示手段と、
前記特別状態信号に基づき特別状態の終了を特定した場合に、除外期間を設定し、当該除外期間における前記スタートを前記単位Ｓの計数対象から除外する除外手段と、
前記単位期間が経過することにより前記単位Ｓが初期化される場合に、当該単位Ｓを前単位期間における単位Ｓである前単位Ｓとして記憶する記憶手段と、を備え、
前記設定手段は、前記除外期間に対応する前記スタートの設定値である除外設定値、及び前記単位Ｓに対する設定情報であって前記記憶手段に単位Ｓを前単位Ｓとして記憶させるための条件範囲を特定可能な最低Ｓ設定情報を設定可能であり、
前記除外手段は、前記特別状態終了後の前記スタートを計数し、当該計数したスタートと前記除外設定値とを比較することで前記除外期間を特定し、
前記記憶手段は、前記単位期間が経過することにより前記単位Ｓが初期化される場合に、当該単位Ｓが前記条件範囲に属することを条件として初期化対象となる前記単位Ｓを前単位Ｓとして記憶し、
前記表示手段は、前記前単位Ｓを前記単位Ｓと比較可能に表示することを特徴とする遊技情報表示装置。
【発明の詳細な説明】
【技術分野】
【０００１】
本発明は、図柄変動回数等のスタートを含む遊技情報を表示可能な遊技情報表示装置に関する。
【背景技術】
【０００２】
遊技場では遊技者への情報提供サービスとして図柄変動回数等のスタートを表示している（例えば、特許文献１参照）。このスタートは遊技する上で大当たりが発生し易い優良台であるか否かを把握するために有意義な遊技情報ではあるが、平均的な大当たりまでの時間間隔が約４０〜５０分程度であることを考慮すると、大当たり毎にスタートをリセット（初期化）するだけでは、その間の遊技が間延びしてしまい、今一歩、遊技者の遊技意欲をかき立てることが難しい。
【先行技術文献】
【特許文献】
【０００３】
【特許文献１】特開平７−２７５４８６号公報
【発明の概要】
【発明が解決しようとする課題】
【０００４】
さて、スタートは短い期間であれば入賞頻度がバラついて回数に幅が生ずるので、短い期間で区切って遊技者に報知すれば偶然的に入賞が重なることで回数が多くなる場合もある。そのため、短く区切られた期間のスタートを見た遊技者に自身の遊技方法や運等がその期間において良かったと思わせることで、遊技者の自己満足心を煽ることが可能となる。
【０００５】
しかしながら、遊技機には、図柄変動中に入賞したときにその図柄変動が終わるまで図柄変動を保留する所謂保留機能が一般的に設けられている。また、大当たりや所謂時短等の特別状態中には入賞ペース等が変動することから、特別状態の終了直後には、特別状態中の保留分が残っており、その保留分に基づく図柄変動が入賞に関わりなく発生する。そして、遊技者はそのことを十分把握していることから、上記のように短い期間のスタートを報知する場合に参考値とならず、遊技者の自己満足心を煽ることが難しいという問題がある。
【０００６】
本発明は上記事情に鑑みてなされたもので、その目的は、遊技者の自己満足心を高めるために適切なスタートを報知する遊技情報表示装置を提供することにある。
【課題を解決するための手段】
【０００７】
請求項１に記載した発明は、始動口への入賞に応じて図柄変動を実行し、当該図柄変動実行中に始動口へと入賞した場合には予め設定される保留上限値を上限として図柄変動を保留し、図柄変動の結果に応じて通常の遊技状態よりも遊技者にとって有利な遊技状態である特別状態へと移行する遊技機側から出力される遊技信号であって、前記特別状態である期間を特定可能な特別状態信号、前記図柄変動が行われたことを特定可能なスタート信号、及び遊技機にて使用された遊技媒体数である使用媒体数と遊技に応じて遊技機から払出された遊技媒体数である払出媒体数との差である差媒体数を特定可能な差数信号を受信する受信手段と、単位期間に対応する差媒体数の設定値である差媒体設定値を設定する設定手段と、前記差数信号により特定される差媒体数と前記差媒体設定値とを比較することで前記単位期間が経過したことを特定する期間特定手段と、前記スタート信号により特定される図柄変動数であるスタートを単位Ｓとして計数し、前記期間特定手段により前記単位期間が経過したことが特定された場合に前記単位Ｓを初期化するスタート計数手段と、前記スタート計数手段により計数される単位Ｓを遊技者向けに表示する表示手段と、前記特別状態信号に基づき特別状態の終了を特定した場合に、除外期間を設定し、当該除外期間における前記スタートを前記単位Ｓの計数対象から除外する除外手段と、を備え、前記設定手段は、前記除外期間に対応する前記スタートの設定値である除外設定値、及び遊技媒体を遊技者に対して貸出媒体として貸出す際の貸出レートを所定の基準レートとし、所定の基準額を対価とした場合における貸出媒体数を表す第１差媒体設定値と、遊技場における実際の貸出レートにより貸出媒体を貸出す場合における前記基準額に対応する貸出媒体数を表す第２差媒体設定値とを前記差媒体設定値として設定可能であり、前記除外手段は、前記特別状態終了後の前記スタートを計数し、当該計数したスタートと前記除外設定値とを比較することで前記除外期間を特定し、前記期間特定手段は、差媒体数と前記第１差媒体設定値とを比較することで第１単位期間が経過したことを特定する一方、差媒体数と前記第２差媒体設定値とを比較することで第２単位期間が経過したことを特定し、前記スタート計数手段は、第１単位Ｓと第２単位Ｓとを前記単位Ｓとして計数し、前記第１単位期間が経過したことが特定された場合には前記第１単位Ｓを初期化する一方、前記第２単位期間が経過したことが特定された場合には前記第２単位Ｓを初期化し、前記表示手段は、前記第１単位Ｓと前記第２単位Ｓとを比較可能に表示することを特徴とする。
【０００９】
請求項２に記載した発明は、前記表示手段は、前記第２単位期間における前記差媒体数を前記第１単位Ｓ、及び前記第２単位Ｓと比較可能にレベル表示し、当該レベル表示において前記第１差媒体設定値に対応する箇所を識別可能に表示することを特徴とする。
【００１０】
請求項３に記載した発明は、始動口への入賞に応じて図柄変動を実行し、当該図柄変動実行中に始動口へと入賞した場合には予め設定される保留上限値を上限として図柄変動を保留し、図柄変動の結果に応じて通常の遊技状態よりも遊技者にとって有利な遊技状態である特別状態へと移行する遊技機側から出力される遊技信号であって、前記特別状態である期間を特定可能な特別状態信号、前記図柄変動が行われたことを特定可能なスタート信号、及び遊技機にて使用された遊技媒体数である使用媒体数と遊技に応じて遊技機から払出された遊技媒体数である払出媒体数との差である差媒体数を特定可能な差数信号を受信する受信手段と、単位期間に対応する差媒体数の設定値である差媒体設定値を設定する設定手段と、前記差数信号により特定される差媒体数と前記差媒体設定値とを比較することで前記単位期間が経過したことを特定する期間特定手段と、前記スタート信号により特定される図柄変動数であるスタートを単位Ｓとして計数し、前記期間特定手段により前記単位期間が経過したことが特定された場合に前記単位Ｓを初期化するスタート計数手段と、前記スタート計数手段により計数される単位Ｓを遊技者向けに表示する表示手段と、前記特別状態信号に基づき特別状態の終了を特定した場合に、除外期間を設定し、当該除外期間における前記スタートを前記単位Ｓの計数対象から除外する除外手段と、を備え、前記設定手段は、前記除外期間に対応する前記スタートの設定値である除外設定値、及び前記単位Ｓに対する設定値であるＳ設定値を設定し、前記除外手段は、前記特別状態終了後の前記スタートを計数し、当該計数したスタートと前記除外設定値とを比較することで前記除外期間を特定し、前記スタート計数手段は、前記特別状態の発生に起因して前記単位Ｓと前記Ｓ設定値とを比較し、前記単位Ｓの方が小さければ前記単位Ｓを初期化する一方、前記Ｓ設定値の方が小さければ前記単位Ｓを初期化せずに前記特別状態の発生前から計数した単位Ｓを特別状態終了後も継続して計数することを特徴とする。
【００１１】
請求項４に記載した発明は、始動口への入賞に応じて図柄変動を実行し、当該図柄変動実行中に始動口へと入賞した場合には予め設定される保留上限値を上限として図柄変動を保留し、図柄変動の結果に応じて通常の遊技状態よりも遊技者にとって有利な遊技状態である特別状態へと移行する遊技機側から出力される遊技信号であって、前記特別状態である期間を特定可能な特別状態信号、前記図柄変動が行われたことを特定可能なスタート信号、及び遊技機にて使用された遊技媒体数である使用媒体数と遊技に応じて遊技機から払出された遊技媒体数である払出媒体数との差である差媒体数を特定可能な差数信号を受信する受信手段と、有価価値を受付可能であり、その有価価値を対価として遊技者へと遊技媒体を貸出す貸出手段と、前記貸出手段により貸出された遊技媒体数である貸出媒体数、或いは、その対価となった有価価値である貸出対価額を表す貸出情報を特定する貸出情報特定手段と、単位期間に対応する差媒体数の設定値である差媒体設定値を設定する設定手段と、前記差数信号により特定される差媒体数と前記差媒体設定値とを比較することで前記単位期間が経過したことを特定する一方、前記貸出情報が前記差媒体設定値に対応する値となった場合に前記単位期間が経過したことを特定する期間特定手段と、前記スタート信号により特定される図柄変動数であるスタートを単位Ｓとして計数し、前記期間特定手段により前記単位期間が経過したことが特定された場合に前記単位Ｓを初期化するスタート計数手段と、前記スタート計数手段により計数される単位Ｓを遊技者向けに表示する表示手段と、前記特別状態信号に基づき特別状態の終了を特定した場合に、除外期間を設定し、当該除外期間における前記スタートを前記単位Ｓの計数対象から除外する除外手段と、前記単位期間が経過することにより前記単位Ｓが初期化される場合に、当該単位Ｓを前単位期間における単位Ｓである前単位Ｓとして記憶する記憶手段と、を備え、前記設定手段は、前記除外期間に対応する前記スタートの設定値である除外設定値、及び前記単位Ｓに対する設定情報であって前記記憶手段に単位Ｓを前単位Ｓとして記憶させるための条件範囲を特定可能な最低Ｓ設定情報を設定可能であり、前記除外手段は、前記特別状態終了後の前記スタートを計数し、当該計数したスタートと前記除外設定値とを比較することで前記除外期間を特定し、前記記憶手段は、前記単位期間が経過することにより前記単位Ｓが初期化される場合に、当該単位Ｓが前記条件範囲に属することを条件として初期化対象となる前記単位Ｓを前単位Ｓとして記憶し、前記表示手段は、前記前単位Ｓを前記単位Ｓと比較可能に表示することを特徴とする。
【発明の効果】
【００１２】
請求項１の発明によれば、特別状態終了後のスタートが単位Ｓから除外されるので、特別状態中の入賞に基づく図柄変動が特別状態終了後に計数される虞がなくなり、適切なスタートを報知することにより、遊技者の自己満足心をほどよく煽ることが可能となる。
【００１３】
請求項２の発明によれば、攻略雑誌等にて紹介される貸出レートが基準レート（例えば４円）である場合に基準額（例えば千円）を投資したときのスタートである第１単位Ｓと、遊技場の実際の交換レートにおいて基準額を投資したときのスタートである第２単位Ｓとを比較可能に表示出来、攻略上のボーダに見合うスタートであるのか否かを把握したいという遊技者のニーズと、基準額を投資したことによりどの程度のスタートを得たのかを把握したいという遊技者のニーズとの双方に対応した遊技情報を提供可能となる。
【００１４】
請求項３の発明によれば、レベル表示により２つの単位期間の進行度を把握しつつも、２つの単位Ｓを把握できるので、上記した遊技者のニーズに応えつつも、両者にタイムトライアル的な要素を盛り込んだ遊技情報を提供可能になる。
【００１５】
請求項４の発明によれば、遊技者には特別状態を区切りとしたスタートを把握したいというニーズが根強くある一方で、単位Ｓを良いペースで得ている状態で特別状態が発生した場合に、その後も継続して単位Ｓを把握したいというニーズもあり、その両者のニーズに応えることが可能になる。
【００１６】
請求項５の発明によれば、差媒体数だけでなく、貸出情報（例えば売上額等）によっても単位期間を特定するので、遊技者の投資毎に区切ったスタートを把握したいというニーズに直接的に応えることが可能となる。また、前単位Ｓと単位Ｓとを表示することにより、単位Ｓの比較対象を遊技者に報知出来る。更に、遊技者は遊技を継続しながら、即ち、貸出媒体を残した状態で投資を行うことから、差媒体数と貸出情報との間にタイムラグが生じ、このタイムラグにより単位期間に対応しない単位Ｓが発生し得るが、その場合には単位Ｓが条件範囲に属さないときには前単位Ｓの表示対象としないので、無意味な前単位Ｓを表示対象とする虞がなくなる。
【図面の簡単な説明】
【００１７】
【図１】本発明の第１実施形態による遊技情報表示装置の構成を概略的に示す図
【図２】管理装置が設定するＳ表示設定例１を示す図
【図３】遊技情報表示装置の記憶領域を示す図
【図４】表示部の画面表示例を示す図
【図５】スタート表示部の拡大図
【図６】遊技情報表示装置による表示処理１を示すフローチャート
【図７】本発明の第２実施形態によるＳ表示設定例２を示す図
【図８】遊技情報表示装置の記憶領域を示す図
【図９】千円Ｓ表示例を示す図
【図１０】遊技情報表示装置による表示処理２を示すフローチャート
【発明を実施するための形態】
【００１８】
以下、本発明による遊技情報表示装置の複数の実施形態を図面に基づいて説明する。尚、複数の実施形態において実質的に同一の構成部位には同一の符号を付し、説明を省略する。
【００１９】
（第１実施形態）
本発明の第１実施形態について図１から図６を参照して説明する。遊技情報表示装置を含む遊技場用システムの全体構成を図１に示す。遊技場用システムは、遊技機２、貸出機３、中継装置４、管理装置５などから構成されている。
遊技場内には、複数台の遊技機２が設置されており、各遊技機２に対応して貸出機３が設置されている。これら遊技機２及び貸出機３は、中継装置４に接続されている。管理装置５は、遊技場内の例えば事務所などに設置され、ＬＡＮ６を介して各中継装置４と接続されており、遊技機２及び貸出機３等と各種の遊技情報を送受信可能に構成されている。尚、遊技場内には、図示しないスロットマシンや計数装置等も設置されている。また、遊技場には数百台の遊技機２が設置され、管理対象となっている。
【００２０】
遊技機２は、所謂デジパチとして周知の構成のものであり、遊技者が玉（遊技媒体）を盤面に発射するためのハンドル２ａ、玉を入賞させる普図入賞口２ｂ、第１始動口２ｃ及び第２始動口２ｄ、玉の入賞に応じて表示図柄が変動する表示部２ｅ、大当たり時に開放する大入賞口２ｆなどが設けられている。遊技機２は、第１始動口２ｃ或いは第２始動口２ｄへの玉の入賞（始動入賞）に応じて大当たり抽選を行い、この抽選結果に基づき所謂特別図柄（特図）による図柄変動を表示部２ｅにて実行し、表示部２ｅに停止表示された図柄が大当たり図柄の場合に大当たりを発生させる。
【００２１】
また、遊技機２は、第１始動口２ｃに対応する保留ランプ２ｇ、及び第２始動口２ｄに対応する保留ランプ２ｈが設けられており、図柄変動中に入賞が発生した場合には、予め設定される保留上限値（本実施形態では４つ）まで図柄変動を保留し、図柄変動終了後に順次保留した図柄変動を実行する。本実施形態では、各保留ランプ２ｇ、２ｈは、それぞれ４つのランプを備えており、図柄変動が保留された数に応じてランプを点灯させる。尚、保留は第１始動口２ｃ及び第２始動口２ｄで個別に管理されており、最大で８つ（＝４＋４）までの保留が可能である。
【００２２】
遊技機２の大当たり抽選の当選確率（大当たり確率）は１／３００で、大当たりの内、大当たり後に確変状態（確変）となる大当たりの割合は６６．６％（２／３）である。大当たりが発生すると、例えば１５ラウンド分だけ大入賞口２ｆが開放される。遊技機２の場合、１ラウンド中の上限入賞数は１０個、大入賞口２ｆの上限開放時間は３０秒であり、これら上限入賞数或いは上限開放時間の何れかが満たされた場合に１ラウンドを終了する。
【００２３】
遊技機２は、確率変動中には、大当たり確率が約１／３０に向上するとともに、第２始動口２ｄへの入賞率が向上する時短状態になる。確率変動は次回大当たりまで継続し、大当たり後に通常状態となる大当たり（所謂ノーマル大当たり）が発生すると終了する。このため、大当たりの回数が多いほど、また、確率変動や時短状態が多いほど、遊技者は多くの出玉を獲得することが出来る。尚、通常大当たりの終了後には確変ではない時短となり、その時短にて１００回のスタート発生に応じて通常状態に戻る。
【００２４】
貸出機３（本発明でいう貸出手段）は、中継装置４と共に本発明でいう遊技情報表示装置を構成している。貸出機３は、遊技情報などを表示する液晶表示部３ａ（表示手段に相当）、貨幣を投入する貨幣投入口３ｂ、後述する会員カードを挿入するカード挿入口３ｃ、挿入した会員カードを排出するための返却釦３ｄなどを備えている。また、液晶表示部３ａの表示領域に対応した領域には、タッチパネル３ｅが設けられており、遊技者の操作を受付する。このような貸出機３は、ＣＰＵからなる制御部（期間特定手段、スタート計数手段、除外手段、貸出情報特定手段に相当）、ＲＡＭ及びＲＯＭからなる記憶部、信号を送受信するためのインターフェースからなる送受信部などを備えた所謂ＣＲサンドとして構成されており、以下のような機能を有している。
【００２５】
（１）固有のＩＤが記録された所謂会員カード或いはビジターカードをカード挿入口３ｃにて受付可能であり、受付した状態で貨幣投入口３ｂに貨幣が投入された場合に、そのＩＤに対応付けてその価値（有価価値）を記憶する。
（２）ビジターカードを所定数（５枚程度）ストック可能であり、会員カード或いはビジターカードを受付していない状態で貨幣を受付すると、ストックしているビジターカードに貨幣の有価価値を記録して、そのビジターカードを受付状態にする。
（３）有価価値が特定可能な状態で遊技機２に設けられた図示しない貸出釦が押下されると、その有価価値に基づき貸玉（遊技媒体に相当）を遊技機２の払出口から払出して売上信号を送信する。
（４）カードを受付けた状態で返却釦３ｄの押下を受付けすると、受付中のカードを排出する。
（５）液晶表示部３ａでは貸出或いは貯玉関連情報を表示可能であり、会員カードを受付する等の所定条件が成立すれば各種の対応する遊技機２に関する遊技情報等も表示可能となる。
【００２６】
これら遊技機側の装置（遊技機２、貸出機３等）からは、遊技者による遊技の進行に伴って、以下に示すような遊技信号が出力される。
アウト信号＝使用玉（使用媒体）を回収するアウトＢＯＸから出力される使用玉数（アウト）を特定可能な信号。回収（使用、打込）玉１０玉に対して１パルスが出力されるので、「アウト信号数×１０」をアウトとして特定する。尚、遊技機２から出力される信号であっても良い（差数信号に相当）。
【００２７】
セーフ信号＝遊技機２から出力される払出玉数（セーフ、払出媒体数）を特定可能な信号。遊技機２での遊技（入賞）に応じた払出１０玉に対して１パルスが出力されるので、「セーフ信号数×１０」をセーフとして特定する。尚、補給装置から出力される補給信号をセーフ信号としても良い（差数信号に相当）。
スタート信号＝遊技機２から出力される図柄変動数（役物作動数、スタート）を特定可能な信号。第１始動口２ｃ又は第２始動口２ｄへの入賞により変動（作動）する表示部２ｅにおける図柄変動（役物作動、スタート処理）１回につき１パルスが出力されるので、「スタート信号数×１」をスタートとして特定する。尚、第１始動口２ｃ又は第２始動口２ｄへの入賞に応じて出力される始動入賞信号をスタート信号としても良い。
【００２８】
大当たり信号＝遊技機２から出力される大当たりを特定可能な信号。大当たり中にレベル出力される状態信号なので大当たり信号受信中を大当たり中として特定する（特別状態信号に相当）。
確変信号＝遊技機２から出力される大当たり確率が向上する確変を特定可能な信号。確変中にレベル出力される状態信号なので、確変信号受信中を確変中として特定する。尚、確変中だけでなく、第２始動口２ｄへの入賞率が向上する時短中にもレベル出力される。また、大当たり信号、及び確変信号を受信していない期間を通常状態として特定する一方、大当たり信号、或いは確変信号を受信している期間を通常状態よりも出玉を得やすい、或いは大当たりを発生させ易い状態で、遊技者にとって有利な遊技状態である特別状態として特定する（特別状態信号に相当）。
【００２９】
売上信号＝貸出機３から出力される貸出情報（貸出玉数、売上額）を特定可能な信号。遊技者に対する有価価値を対価とした貸出玉２５玉毎に１パルスが出力されるので、「売上信号数×２５」を貸出玉数（貸出媒体数）として特定し、貸出玉数×貸単価を売上額（貸出対価額）として特定。
【００３０】
中継装置４は、ＣＰＵからなる制御部、ＲＡＭ及びＲＯＭからなる記憶部（記憶手段に相当）、信号を送受信するためのインターフェースからなる送受信部（受信手段に相当）を備えている。遊技機２及び貸出機３はこの中継装置４を介して互いに接続され、更に中継装置４は管理装置５と接続されている。これにより、遊技機側と管理装置５との間で各種の情報の送受信が可能となっている。
【００３１】
管理装置５は、ＣＰＵからなる制御部（設定手段に相当）、ＨＤＤ（ハードディスク装置）、ＲＡＭ、ＲＯＭからなる記憶部（記憶手段に相当）、信号を送受信するためのインターフェースからなる送受信部、モニタ及びプリンタ（図示せず）などからなる出力部、キーボードやマウス（図示せず）などからなる入力部（設定手段に相当）を備え、遊技機２毎の遊技情報の集計・管理、及び本発明に関連して、図２に示すＳ表示設定例１を設定及び記憶する。このＳ表示設定例１は、標準的、即ち貸単価＝４円（本発明でいう、「貸出レートを所定の基準レート」とした状態に相当）の場合の設定例である。例えば攻略雑誌等に攻略上のボーダラインとして掲載される千円Ｓ（基準額（１０００円）を投資した場合のスタートの回数）は、一般的に貸単価＝４円で計算されている場合が多数を占めるので、本実施形態では、貸単価＝４円の場合について説明する。尚、貸単価が４円以外の場合については、第２実施形態において説明する。
【００３２】
Ｓ表示設定値１には、以下の項目が設定されている。
設定額＝売上額に対する設定値で、単位期間に対応する売上額の値。即ち、売上額がこの数値以上になる毎に単位期間のスタート（後述する今回Ｓ。第１単位Ｓに相当）を初期化する。
差玉設定値１＝差玉（アウト−セーフ）に対する設定値で、単位期間に対応する差玉の値。即ち、差玉がこの数値以上になる毎に今回Ｓを初期化する（第１差媒体設定値に相当）。
【００３３】
差玉設定値２＝差玉に対する設定値で、単位期間に対応する差玉の値。差玉設定値１とは異なる差玉を単位期間に対応付けたい場合に設定する。即ち、差玉がこの数値以上になる毎に後述する千円Ｓ（第２単位Ｓ）を初期化する（第２差媒体設定値に相当）。尚、本実施形態でこの差玉設定値２を設定しようとすると２５０となり、差玉設定値１と同一となり実質的に無意味であることから、本実施形態では設定されていない。差玉設定値２については、第２実施形態において説明する。
【００３４】
Ｓ設定値＝後述する今回Ｓに対する設定値で、大当たり（特別状態）終了後に今回Ｓの計数を継続するための下限値。即ち、大当たり終了後であっても今回ＳがＳ設定値以上であれば今回Ｓを初期化しない。
最低Ｓ＝今回Ｓに対する設定値で、今回Ｓを後述する前回Ｓ（前単位Ｓに相当）へと更新するための下限値。即ち、単位期間に対応する売上額又は差玉を得た場合に、今回Ｓが最低Ｓ未満であれば今回Ｓを更新しない（最低Ｓ設定情報に相当）。
除外設定値＝大当たり終了後のスタートを今回Ｓの計数対象から除外する除外期間を特定するためのスタートに対する設定値。大当たり終了後から、この除外設定値分のスタートを特定するまでを除外期間とする。尚、特別状態終了時に想定される遊技機における保留スタートで、第１始動口２ｃ及び第２始動口２ｄの保留上限値の合計（本実施形態では４＋４＝８つ）を設定値の目安とする。
【００３５】
管理装置５は、このＳ表示設定値１に設定されている設定値を遊技情報表示装置１（貸出機３及び中継装置４）に送信し、遊技情報表示装置１は、受信したＳ表示設定値１を記憶部に記憶する。また、遊技情報表示装置１は、受信したＳ表示設定値１が更新される毎に自身の設定情報を更新する。尚、後述する機種名等の他の設定情報も管理装置５にて設定可能であり、設定値の送信により設定情報を更新可能としている。さて、図３に示す遊技情報表示装置１の記憶領域には、対応する遊技機２の遊技情報として以下の項目が記憶されている。
【００３６】
今回Ｓ＝差玉が差玉設定値１になる毎、又は売上額が設定額になる毎に更新されるスタート。
前回Ｓ＝更新前の今回Ｓ。
最高Ｓ＝今回Ｓの最高値。尚、遊技場の開店、遊技中の遊技者の遊技開始、或いは対応する遊技機の設置等、集計対象期間の起点はどのように設定しても良い。
千円Ｓ＝差玉が差玉設定値２になる毎に更新されるスタート（本実施形態では使用せず）。
売上額＝今回Ｓを特定するための売上額で設定額になる毎に初期化される。
差玉１＝今回Ｓを特定するための差玉で、差玉設定値１になる毎に初期化される。
差玉２＝千円Ｓを特定するための差玉で、差玉設定値２になる毎に初期化される。尚、本実施形態では使用していない。
除外Ｓ＝大当たり（又は確変）終了後に除外設定値となるスタートで、スタート信号受信毎に減算される。想定上の遊技機２の保留数で、この値が０以外の場合は今回Ｓや千円Ｓの更新を中断する。
【００３７】
尚、後述するように差玉や売上額の更新は除外Ｓが０以外の場合であっても行うが、集計対象期間を通常状態としているため、大当たり、確変、時短等の特別状態中はそれらの更新は行わない。
【００３８】
遊技情報表示装置１は、これらの設定に基づいて、図４に示すように液晶表示部３ａに対応する遊技機２の各種の遊技情報を表示する。
図４（ａ）は、貸出機３の液晶表示部３ａにおける表示例である。液晶表示部３ａには、貸出機３が設けられている遊技機２の台番表示部Ｍ１、機種表示部Ｍ２、大当たり回数、確変が前後に発生した大当たりの回数（確変回数）、確変中に発生した大当たりの最大継続数、大当たり確率等の周知の遊技情報を表示する複数の基本情報表示部Ｍ３、スタート表示部Ｍ４、画面表示を切り替えるための戻る釦Ｍ５、千円スタート釦Ｍ６等が表示される。
【００３９】
図４（ｂ）は、スタート表示部Ｍ４の拡大図である。スタート表示部Ｍ４には、千円Ｓを表示する千円Ｓ表示部Ｍ７、周知の大当たりの発生毎に初期化される大当たり後スタート表示部Ｍ８、今回Ｓを表示する今回Ｓ表示部Ｍ９、前回Ｓを表示する前回Ｓ表示部Ｍ１０、今回Ｓの最高値を表示する最高Ｓ表示部Ｍ１１、及び千円インジケータＭ１２が設けられている。千円インジケータＭ１２は、図３の記憶領域における差玉１をレベル表示する表示部であり、図示左端が０、図示右端が差玉設定値１に対応するように、表示区分を２０個（１区分は差玉設定値１（２５０）÷２０（区分）＝１２．５玉に対応）に区分して、差玉１の更新に応じて表示更新される。尚、最高Ｓ表示部Ｍ１１を切り替え表示可能にし、最高Ｓ又は今回Ｓの集計対象期間における平均値を表す平均Ｓを表示するようにしてもよい。
【００４０】
千円スタート釦Ｍ６が押下されると、スタート表示部Ｍ４には大当たり後スタート表示部Ｍ８のみが拡大表示される。この状態で再度千円スタート釦Ｍ６が押下されると、スタート表示部Ｍ４には、図４（ｂ）に示すように、千円Ｓ表示部Ｍ７、大当たり後スタート表示部Ｍ８、今回Ｓ表示部Ｍ９、前回Ｓ表示部Ｍ１０、最高Ｓ表示部Ｍ１１、及び千円インジケータＭ１２が表示される。つまり、千円スタート釦Ｍ６は、スタート表示部Ｍ４に表示される情報の種類を切り替えるための釦である。
【００４１】
次に、上記した構成の遊技情報表示装置１の作用について説明する。
図６は、遊技情報表示装置１が実行する表示処理１のフローチャートである。この表示処理１は、実際には貸出機３及び中継装置４の制御部により分担されて実行される処理であるが、ここでは便宜的に貸出機３及び中継装置４から構成される遊技情報表示装置１により実行される処理として説明する。
【００４２】
遊技情報表示装置１は、スタート信号を受信したか（Ａ１）、売上信号を受信したか（Ａ７）、アウト信号又はセーフ信号を受信したか（Ａ１０）、及び大当たり又は確変信号の受信を開始したか（Ａ１８）を判定している。
遊技情報表示装置１は、遊技者により遊技が進行され、第１始動口２ｃ又は第２始動口２ｄへの入賞にともなって図柄変動が開始されると、スタート信号を受信することから（Ａ１：ＹＥＳ）、今回Ｓ表示部Ｍ９の表示が「準備中」であるかを判定する（Ａ２）。今回Ｓ表示部Ｍ９の表示が「準備中」となるのは後述するように特別状態終了後であり、通常状態においては「準備中」ではないため（Ａ２：ＮＯ）、今回Ｓを更新する（Ａ６）。尚、図３に示す記憶領域とともに、図４（ａ）及び（ｂ）に示す表示画面も同時に更新される。
【００４３】
このように、遊技情報表示装置１は、通常は、遊技の進行に応じてスタート信号が受信された場合には今回Ｓを更新（計数）している。尚、遊技情報表示装置１は、図３に示す記憶領域を更新すると共に、図４（ａ）及び（ｂ）に示す今回Ｓ表示部Ｍ９等の表示情報も更新する。
さて、遊技情報表示装置１は、上記したように売上信号の受信により売上額を、アウト信号又はセーフ信号の受信により差玉１を各々更新する。そして、売上額が図２に示す設定額以上となった場合、或いは差玉１が差玉設定値１以上となった場合には、以下のようにして今回Ｓ等を更新する。
【００４４】
＜売上額による今回Ｓの更新及び初期化＞
例えば、遊技者が遊技を継続して手持ち玉が減少した場合、或いは、遊技機２での遊技を開始する場合などには、遊技者は貸出機３に有価価値を投入して玉の貸出を受けることになる。このとき、遊技情報表示装置１は、売上信号を受信することから（Ａ７：ＹＥＳ）、売上額を更新した後（Ａ８）、売上額が設定額以上であるかを判定する（Ａ９）。売上額が設定額以上である場合には（Ａ９：ＹＥＳ）、今回Ｓが図２に示す最低Ｓ以上であるかを判定し（Ａ１３）、最低Ｓ以上である場合には（Ａ１３：ＹＥＳ）、今回Ｓが最高Ｓ以上であるかを判定する（Ａ１４）。
【００４５】
遊技情報表示装置１は、今回Ｓが最高Ｓ以上である場合には（Ａ１４：ＹＥＳ）、最高値の更新演出を行うと共に、最高Ｓに今回Ｓの値を設定し（Ａ１５）、前回Ｓに今回Ｓを設定する（Ａ１６）。一方、今回Ｓが最高Ｓ未満の場合には（Ａ１４：ＮＯ）、今回Ｓ更新の演出を行った上で、前回Ｓに今回Ｓの値を設定し（Ａ１６）、今回Ｓ、差玉１及び売上額を初期化する（Ａ１７）。この場合、差玉１が初期化されることから千円インジケータＭ１２も初期化する。尚、今回Ｓが最低Ｓ未満の場合には（Ａ１３：ＮＯ）、そのままステップＡ１７に移行して今回Ｓ、差玉１及び売上額を初期化する。
【００４６】
＜差玉１による今回Ｓの更新及び初期化＞
遊技情報表示装置１は、アウト信号又はセーフ信号を受信した場合には（Ａ１０：ＹＥＳ）、差玉１を更新すると共に、その更新に応じて千円インジケータＭ１２のレベル表示も更新し（Ａ１１）、差玉１が図２に示す差玉設定値１以上であるかを判定する（Ａ１２）。差玉１が図２に示す差玉設定値１以上の場合には（Ａ１２：ＹＥＳ）、上記した売上額による今回Ｓの更新と同様に、今回Ｓが最低Ｓ以上であるか（Ａ１３）、或いは今回Ｓが最高Ｓ以上であるか（Ａ１４）などの判定結果に基づいて、今回Ｓ、差玉１及び売上額を初期化するとともに、前回Ｓ及び最高Ｓを更新する。
このように、遊技情報表示装置１は、売上額が設定額以上になった場合、又は、差玉１が差玉設定値１以上になった場合に、今回Ｓ、差玉１及び売上額を初期化するとともに、前回Ｓ及び最高Ｓを更新する。
【００４７】
＜特別状態終了後の除外処理＞
次に、特別状態終了後の除外処理について説明する。
遊技情報表示装置１は、大当たり信号又は確変信号の受信を開始すると（Ａ１８：ＹＥＳ）、通常状態になるまで、即ち大当たり信号及び確変信号の双方の受信が終了するまで待機する（Ａ１９：ＮＯ）。そして、大当たり信号及び確変信号の双方の受信が終了（通常状態に移行）すると（Ａ１９：ＹＥＳ）、今回Ｓを図２に示すＳ設定値と比較し（Ａ２０）、Ｓ設定値未満であれば（Ａ２０：ＮＯ）、今回Ｓ、差玉１及び売上額を初期化した後（Ａ２１）、除外Ｓに除外設定値を設定し（Ａ２２）、今回Ｓ表示部Ｍ９を図５に示すように「準備中」表示にして（Ａ２３）、リターンする。一方、今回ＳがＳ設定値以上の場合には（Ａ２０：ＹＥＳ）、今回Ｓ等の初期化を行わずに、除外Ｓの設定（Ａ２２）、及び今回Ｓ表示部Ｍ９を「準備中」表示にして（Ａ２３）、リターンする。
【００４８】
さて、大当たり中には図柄変動が行われないこと、また、確変状態中には第２始動口２ｄへの入賞率が向上する時短状態になり入賞ペースが増加することから、図柄変動が保留上限値まで保留されると考えられる。そのため、大当たり或いは確変状態等の特別状態の終了後にそのままスタートを計数すると、遊技者の実際の遊技とかけ離れたスタートが計数される虞がある。そこで、遊技情報表示装置１は、以下のようにして特別状態終了後のスタートを除外している。
【００４９】
遊技情報表示装置１は、この状態で次にスタート信号を受信した場合には（Ａ１：ＹＥＳ）、今回Ｓ表示部Ｍ９の表示が「準備中」であることから（Ａ２：ＹＥＳ）、除外Ｓを減算した後（Ａ３）、除外Ｓが０であるかを判定する（Ａ４）。このとき、除外Ｓが０で無い場合には（Ａ４：ＮＯ）、遊技の進行にともなって除外Ｓが０になるまで「準備中」表示を継続する一方、除外Ｓが０となった場合には（Ａ４：ＹＥＳ）、今回Ｓ表示部Ｍ９の表示を通常の数値表示に切り替える（Ａ５）。
【００５０】
これにより、大当たりなどの特別状態中において保留されていた図柄変動分のスタートは、除外Ｓの値が０になるまで計数されることが無くなる。換言すると、「準備中」表示中はスタート信号を受信しても今回Ｓの更新を行わずに除外Ｓを減算し、除外Ｓが０になると今回Ｓの計数及び数値表示を再開する。
このように、遊技情報表示装置１は、液晶表示部３ａの表示情報（単位期間の経過毎に初期化されるスタートである今回Ｓ等）を更新すると共に、特別状態中にはスタートを計数せず、さらに、特別状態終了後には、特別状態中に保留された保留数を考慮して、除外設定値分のスタートを今回Ｓの計数対象から除外する。
【００５１】
以上説明した本実施形態の遊技場用システム１によれば、次のような効果を奏する。
特別状態終了後のスタートを保留数分だけ単位Ｓ（今回Ｓ）の計数対象から除外しているので、特別状態中の入賞に基づく図柄変動によるスタートが特別状態終了後に今回Ｓとして計数されることがない。これにより、適切なスタートの回数を遊技者に報知することが可能となり、遊技者の自己満足心をほどよく煽ることができる。
【００５２】
差玉１の増減に応じて千円インジケータＭ１２のレベル表示を更新するので、レベル表示により単位期間の進行度（差玉１が２５０玉になるまでの期間）を把握することが可能となり、レベル表示と今回Ｓ又は最高Ｓとを比較することにより、両者にタイムトライアル的な要素を盛り込んだ遊技情報を提供することができる。
【００５３】
遊技者には特別状態を区切りとしたスタートを把握したいというニーズが根強くある一方で、今回Ｓを良いペースで得ている状態で特別状態が発生した場合に、その後も継続して今回Ｓを把握したいというニーズもある。本実施形態では、今回ＳがＳ設定値未満の場合には今回Ｓを初期化しないので、その両者のニーズに応えることができる。
差玉１だけでなく、売上額によっても単位期間を特定し、今回Ｓなどを初期化するので、遊技者の投資金額毎に区切ったスタートを把握したいというニーズに直接的に応えることができる。また、前回Ｓを記憶しておき、前回Ｓと今回Ｓとを表示することにより、今回Ｓの比較対象を遊技者に報知出来る。
【００５４】
更に、単位Ｓが最低Ｓに満たない場合には前回Ｓの表示対象としないので、無意味な前回Ｓを表示対象とする虞がなくなる。すなわち、遊技者は遊技を継続しながら（例えば玉を上皿などに残した状態で）投資を行うことから、差玉１と売上額との間にタイムラグが生じ、このタイムラグにより単位期間に対応しない単位Ｓが発生し得る（例えば、１０玉残して千円投資し→２５０玉分の差玉で単位期間を特定→残り１０玉を残して遊技者が遊技を終了→次の遊技者が千円を投資したような状況では、１０玉分の遊技に対応する無意味な今回Ｓが計数されることになる）。この場合、最低Ｓ以上であるかを判定することにより、無意味な今回Ｓが計数されることがない。
【００５５】
（第２実施形態）
以下、本発明の第２実施形態について図７から図１０を参照しながら説明する。第２実施形態では、貸出レートが所定の基準レート（１玉＝４円）では無い場合に対応させている点が第１実施形態と異なっている。つまり、第２実施形態における貸出レートは、１玉＝１円である。尚、第２実施形態による遊技情報表示装置は、第１実施形態とほぼ同一であるので、図１及び図４をも参照しながら説明する。
第２実施形態による遊技情報表示装置は、第１実施形態（図１参照）と同様に貸出機３及び中継装置４から構成されており、遊技機２に接続されていると共に、ＬＡＮ６を介して管理装置５との間で各種の情報の送受信が可能に接続されている。
【００５６】
管理装置５には、図７に示すＳ表示設定例２が設定されており、設定額が未設定である代わりに、差玉設定値２が設定されている。この差玉設定値２は、上記したように差玉がこの数値以上になる千円Ｓを初期化するものであり、千円に対応する貸出玉（１０００玉）が設定される。尚、この場合、設定額として差玉設定値１に対応する売上額を設定しても良いが、貸単価＝１円の場合に２５０玉の貸出を受ける場合には売上額が２５０円となり、投資額として５０円という単位が一般的でないため、本実施形態では設定額は設定していない。
【００５７】
遊技情報表示装置は、第１実施形態と同様に、図８に示す記憶領域を備えており、各種の遊技情報に基づいて記憶領域を更新する。
図９は、液晶表示部３ａのスタート表示部Ｍ４（図４参照）の拡大図で、千円Ｓ表示部Ｍ７に千円Ｓが数値表示されている。尚、本実施形態の千円インジケータＭ１２は、差玉１に代えて差玉２をレベル表示し、図９に示すように、差玉設定値２の値を図示右端に対応させるべく、表示区分を特定し（１区分を差玉５０玉に対応）、その区分の内、差玉設定値１（貸単価＝４円の場合の１０００円の売上額に相当する貸玉数＝２５０玉）の倍数に対応する表示区分（図示左から５個目（２５０玉）、１０個目（５００玉）、１５個目（７５０玉）、２０個目（１０００玉））を赤色にて表示し、他の目盛りを識別可能に表示する。尚、図９では、模式的に、赤色に識別表示する目盛りを黒塗りつぶしで示し、他の目盛りをハッチングにより示している。
【００５８】
次に、上記した構成の遊技情報表示装置の作用について説明する。尚、第１実施形態の表示処理１と実質的に同一の処理が行われるステップに関しては詳細な説明を省略する。
遊技情報表示装置は、スタート信号を受信したか（Ｂ１）、アウト信号又はセーフ信号を受信したか（Ｂ７）、及び大当たり及び確変信号の受信を開始したか（Ｂ１７）を判定している。尚、設定額が設定されていないことから売上額は参照しない。
遊技情報表示装置は、スタート信号を受信すると（Ｂ１：ＹＥＳ）、今回Ｓ表示部Ｍ９の表示が「準備中」であるかを判定し（Ｂ２）、「準備中」でない場合には（Ｂ２：ＮＯ）、今回Ｓ及び千円Ｓを更新する（Ｂ６）。このとき、今回Ｓ表示部Ｍ９、千円Ｓ表示部Ｍ７の表示も更新される。
【００５９】
また、遊技情報表示装置は、遊技の進行に応じてアウト信号又はセーフ信号を受信すると（Ｂ７：ＹＥＳ）、差玉１及び差玉２を更新すると共に、その更新に応じて千円インジケータＭ１２のレベル表示を更新した後（Ｂ８）、差玉２が差玉設定値２以上であるかを判定し（Ｂ９）、差玉設定値２以上である場合には（Ｂ９：ＹＥＳ）、千円Ｓ及び差玉２を初期化する（Ｂ１０）。この場合、差玉２が初期化されることから千円インジケータＭ１２も初期化する。一方、差玉２が差玉設定値２未満である場合には（Ｂ９：ＮＯ）、初期化は行わない。続いて、遊技情報表示装置は、第１実施形態と同様に、差玉１が差玉設定値１以上であるか（Ｂ１１）、今回Ｓが最低Ｓ以上であるか（Ｂ１２）等を判定し、今回Ｓ、最高Ｓ及び前回Ｓの更新処理（ステップＢ１３〜Ｂ１５）を行った後、今回Ｓ、差玉１及び売上額を初期化する（ステップＢ１６）。
【００６０】
また、遊技情報表示装置は、第１実施形態と同様に、大当たり信号又は確変信号の受信を開始すると（Ｂ１７）、受信を終了するまで待機し（Ｂ１８：ＮＯ）、受信が終了すると（Ｂ１８：ＹＥＳ）、今回ＳがＳ設定値以上であるかを判定する（Ｂ１９）。今回ＳがＳ設定値未満である場合には（Ｂ１９：ＮＯ）、今回Ｓ、差玉１、差玉２及び売上額を初期化した後（Ｂ２０）、除外Ｓに除外設定値を設定し（Ｂ２１）、今回Ｓ表示部Ｍ９及び千円Ｓ表示部Ｍ７を「準備中」表示にする（Ｂ２２）。一方、今回ＳがＳ設定値以上である場合には（Ｂ１９：ＹＥＳ）、今回Ｓ、差玉１、差玉２及び売上額の初期化を行わずにステップＢ２１に移行する。
【００６１】
遊技情報表示装置は、この状態（「準備中」が表示されている状態）で次のスタート信号を受信するとＢ１：ＹＥＳ）、今回Ｓ表示が「準備中」であることから（Ｂ２：ＹＥＳ）、第１実施形態と同様に、除外Ｓの減算（Ｂ３）、及び除外Ｓが０であるかを判定し（Ｂ４）、除外Ｓが０になった時点で（Ｂ４：ＹＥＳ）、今回Ｓ表示部Ｍ９及び千円Ｓ表示部Ｍ７を数値表示に切り替える（Ｂ５）。
【００６２】
このように、遊技情報表示装置は、液晶表示部３ａの表示情報を更新すると共に、特別状態終了後の保留数を考慮して、除外設定値分のスタートを今回Ｓの計数対象から除外するので、適切な今回Ｓを遊技者に報知することができ、遊技者の自己満足心を高めることができるなど、第１実施形態と同様の効果を得ることが出来る。
【００６３】
特に、第２実施形態では、遊技場の実際の貸出レートと合致するように差玉設定値２を設定しているので、攻略雑誌等にて紹介される基準レート（例えば４円）である場合に基準額（例えば千円）を投資したときのスタートである今回Ｓと、遊技場の実際の交換レートにおいて基準額を投資したときのスタートである千円Ｓとが比較可能になり、攻略上のボーダに見合うスタートであるのか否かを把握したいという遊技者のニーズと、基準額を投資したことによりどの程度のスタートを得たのかを把握したいという遊技者のニーズとの双方に対応した遊技情報を提供でき、遊技者の自己満足心を高めることができる。
【００６４】
また、千円インジケータＭ１２のレベル表示において、差玉１及び差玉２に対応する箇所を識別可能に表示しているので、２つの単位期間（差玉が２５０玉、及び１０００玉になる期間）の進行度を把握しつつも、２つの単位スタート（今回Ｓ、千円Ｓ）を把握できるので、上記した遊技者のニーズに応えつつも、両者にタイムトライアル的な要素を盛り込んだ遊技情報を提供可能になる。
【００６５】
（その他の実施形態）
本発明は、上記実施形態に限定されることなく、次のように変形又は拡張できる。
売上額によっても今回Ｓを更新したが、差玉のみで更新しても良い。尚、売上額に代えて貸出玉数にて今回Ｓ等を更新しても良い。更に売上信号が１０００円単位で出力される場合等には、売上信号を受信することのみで差媒体設定値に対応する値となったことを特定出来る。尚、説明の都合上、売上信号の受信により貸出情報を特定したが、そもそも遊技情報表示装置１の一部は貸出機３であり、売上信号を受信しなくとも貸出情報は特定可能である。即ち、貸出情報を特定する場合の信号受信は必要に応じて行えばよい。
【００６６】
千円Ｓについて最高Ｓや前回Ｓの記憶を行わなかったが、行っても良い。
遊技場の中には遊技者の個人的な情報として今回Ｓ等を提供することは問題無いが、他の遊技者の今回Ｓ等を参照して遊技機選択されることには問題があるとする遊技場も少なく無いので、会員カードの挿入等、周知の客交替の検出を条件として今回Ｓ等を初期化したり、会員カードの挿入を条件として今回Ｓ等を表示しても良い。
【００６７】
特別状態中においても今回Ｓを確認可能とすることが望ましいので、特別状態終了時に今回Ｓを初期化したが、特別状態開始時や特別状態中に初期化しても良い。
差玉や投資額は今回Ｓ等を特定するために初期化したが、別途、遊技情報として記憶する差玉等は当然ではあるが初期化する必要はない。更に、初期化しない差玉等と各設定値の倍数とを比較することや、各設定値分を更新することで今回Ｓ等を更新しても良い。また、大当たり間スタート等にて例示したように、今回Ｓ等以外の遊技情報を別途表示対象としても良い。
【００６８】
千円インジケータとして２０に区分けした目盛りの表示により差玉のレベル表示を行ったが、１玉単位で区分けする等、区分け方法はどのようにしても良い。また、設定値の項目数等も含め、例示した数値は単なる例示であり、どのような数値を採用しても良い。更に条件範囲を特定する際に下限である最低Ｓのみ設定したが、上限を設定する等、設定情報の設定方法もどのような設定方法であっても良い。勿論、前回Ｓを前回分に限らず、前々回分以前の今回Ｓを適宜記憶したり、前回Ｓを記憶しなくとも良い。また、除外Ｓを除外設定値からカウントダウンしたが、カウントアップして除外設定値に達した場合に除外期間の終期を特定しても良い。
【００６９】
差数信号として直接的に差玉を特定可能な遊技信号を採用したり、特別状態信号として特別状態の開始時と終了時に１パルス出力される信号を採用する等、どのような遊技信号を採用しても良い。
単位Ｓを初期化するとは単位Ｓが０になることである。即ち、今回Ｓを前回Ｓに移行することで今回Ｓを０としても初期化したことになる。特別状態終了時に今回ＳがＳ設定値以上であり、今回Ｓを継続して計数する場合には除外期間を設けないようにしても良い。また、特別状態としては大当たりや確変等の種類があるが、特別状態の種類が異なれば終了時に想定される保留数が異なる遊技機もあるので、その種類に対応して除外設定値を設け、終了した特別状態の種類に応じて除外設定値を設定しても良い。勿論、今回Ｓを継続して計数する場合に、想定される、或いは平均的な特別状態終了後の保留数（例えば８）から発生前の保留数（例えば２）を差し引いた値（例えば６）を特別状態中に加算された保留数として除外設定値を設定しても良い。
【００７０】
特別状態終了後のスタートを除外する構成を除いて、千円Ｓと今回Ｓとを表示する構成等にしても良い。即ち、請求範囲にて必ずしも請求項同士を従属関係にする必要はない。また、対象とする遊技機として、図柄変動ではない役物作動をスタートとするパチンコ遊技機を対象としたり、ゲームをスタートとするスロットマシン等を対象としてもよい。この場合、スタートとは大当たり（ボーナス）を発生させるための遊技機における遊技処理となる。
管理装置が行う情報処理の一部を中継装置や貸出機にて行っても良い。勿論、貸出機のみで遊技情報表示装置を構成する等、どのように構成しても良い。
【符号の説明】
【００７１】
図面中、１は遊技情報表示装置、２は遊技機、３は貸出機（貸出手段、記憶手段、期間特定手段、スタート計数手段、除外手段、貸出情報特定手段）、３ａは液晶表示部（表示手段）、４は中継装置（受信手段、記憶手段）、５は管理装置（設定手段、記憶手段）を示す。
【図１】
0005453077.tif 000002
【図２】
0005453077.tif 000003
【図３】
0005453077.tif 000004
【図４】
0005453077.tif 000005
【図５】
0005453077.tif 000006
【図６】
0005453077.tif 000007
【図７】
0005453077.tif 000008
【図８】
0005453077.tif 000009
【図９】
0005453077.tif 000010
【図１０】
0005453077.tif 000011